【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  虫防除のための装置であって：
（１）（ａ）防虫剤を含む組成物を含むカートリッジ、および
（２）前記組成物を活発に拡散する拡散手段であって、前記拡散手段が前記組成物を前記カートリッジから前記組成物を取り去って対象周域に拡散させるように前記カートリッジが前記拡散手段に関する前記装置に取り付けられ、前記装置が前記装置始動後３分以内に防虫を開始する、拡散手段
を備えたことを特徴とする虫防除のための装置。
【請求項２】  虫防除のための着用可能個人用防虫装置であって：
（１）（ａ）防虫剤を含む組成物を含むカートリッジ；
（２）前記組成物を活発に拡散するための拡散手段であって、前記拡散手段が前記カートリッジから前記組成物を取り去って対象周域に拡散させるように前記カートリッジが前記拡散手段に関する前記着用可能個人用防虫装置に取り付けられ、（ａ）アトマイザ、（ｂ）電気スプレイ、（ｃ）前記組成物を揮発させるバルク加熱手段、及び揮発した組成物を前記対象周域へと吹き出す吹き出し手段、及び（ｄ）前記組成物を揮発させ、前記組成物を前記対象周域へと拡散する点加熱手段からなる群から選択される拡散手段；及び
（３）前記拡散手段を妨げないように前記装置に取り付けられ、前記着用可能な個人用防虫装置を前記対象に防着できる附着手段
を備えたことを特徴とする虫防除のための着用可能個人用防虫装置。
【請求項３】  前記拡散手段が（ｃ）バルク加熱手段及び吹き出し手段を備え、前記拡散手段が前記バルク加熱手段及び前記吹き出し手段に動力供給する動力源を備え、前記動力源が電気、太陽、化学的、機械的、及びこれらの組み合わせからなる群から選択されることを特徴とする、請求項２に記載の装置。
【請求項４】  前記拡散手段が、前記バルク加熱手段に動力供給する第１動力源、及び前記吹き出し手段に動力供給する第２動力源を備えることを特徴とする、請求項２に記載の装置。
【請求項５】  前記第１動力源が発熱化学反応であることを特徴とする、請求項４に記載の装置。
【請求項６】  前記拡散手段が（ｄ）点加熱手段を備え、前記拡散手段が前記点加熱手段によって揮発させられた前記組成物を吹き出す吹き出し手段をさらに備えることを特徴とする、請求項２に記載の装置。
【請求項７】  前記拡散手段が前記点加熱手段の動力供給のための電気動力源をさらに備えることを特徴とする、請求項６に記載の装置。
【請求項８】  虫防除のための個人用防虫装置であって：
（１）（ａ）防虫剤を含む組成物を含むカートリッジ、および
（２）前記組成物を活発に拡散するための拡散手段であって、前記拡散手段が前記組成物を前記カートリッジから移動させて対象周域に拡散させるように前記カートリッジが前記拡散手段に関する前記個人用防虫装置に取り付けられ、前記組成物を揮発させる（ｄ）点加熱手段を備え、前記拡散手段が揮発した組成物を吹き出す吹き出し手段を更に備える拡散手段
を備えたことを特徴とする虫防除のための個人用防虫装置。
【請求項９】  虫防除のための着用可能個人用装置であって：
（１）（ａ）防虫剤を含む組成物、および（ｂ）前記組成物を含有するキャリアを含むカートリッジ；
（２）前記カートリッジが取り付けられている加熱器、前記カートリッジを通して気流を誘導するように前記加熱器に対向する前記装置に取り付けられているファン、並びに前記カートリッジが前記ファン及びバッフルの間にあるように前記カートリッジに対向する前記装置に取り付けられている前記バッフルを備える、前記組成物を拡散する拡散手段；及び
（３）前記ファンの上流の空気取り入れ口、及び前記ファン及び前記カートリッジの下流の空気排出口、前記空気取り入れ口及び空気排出口の間の気流を妨げないように前記装置に取り付けられる電池容器、前記ファン及び加熱器をオンオフする前記ハウジングの表面のスイッチ、並びに前記拡散手段を妨げないように前記ハウジングの表面に取り付けられる附着手段を備える、前記カートリッジ及び前記拡散手段の周りのハウジング
を備えたことを特徴とする虫防除のための着用可能個人用装置。
【請求項１０】  虫防除のための個人用防虫装置であって：
（１）（ａ）防虫剤を含む組成物、および（ｂ）組成物を含有するキャリアを含むカートリッジ
（２）（ａ）前記カートリッジを収容する容器、（ｂ）熱を発生する化学薬品を収容している化学薬品容器を備える、前記容器が取り付けられている前記加熱手段、（ｃ）前記カートリッジを通って吹き流れて前記カートリッジから前記組成物を出す気流を発生させる前記カートリッジの上流のファン、（ｄ）前記ファンに動力供給する電池を収容する前記気流を妨げないように前記装置に取り付けられる電池容器、（ｅ）前記ファンを点け及び切る前記ファンと連絡するタイマーを備える拡散手段
（３）前記カートリッジ及び前記拡散手段の周りのハウジングであって、（ａ）前記ファンの上流の空気取り入れ口、及び（ｂ）前記ファン及び前記カートリッジの下流の空気排出口を備えるハウジング
を備えたことを特徴とする虫防除のための個人用防虫装置。
【請求項１１】  個人用防虫装置であって：
（ｉ）防虫剤を含む組成物を備えるカートリッジ、
（ｉｉ）前記組成物がフィラメントに接触するように前記カ−トリッジの排出口、又はその付近に位置する前記フィラメント、
（ｉｉｉ）前記フィラメントを加熱し、モ−ターに動力供給するように前記フィラメント及び前記モーターに連絡する動力供給、及び
（ｉｖ）前記モーターに接続するファン
を備えたことを特徴とする個人用防虫装置。
【手続補正２】
【補正対象書類名】明細書
【補正対象項目名】０１００
【補正方法】変更
【補正の内容】
【０１００】
実施例５及び比較例１４は、点加熱手段を用いる装置は蚊の防除に効果的であることを示す。
以下に、本発明の好ましい態様を示す。
［１］  以下を備えることを特徴とする、虫防除のための装置：
（１）以下を備えるカートリッジ
（ａ）防虫剤を含む組成物、
及び
（２）前記組成物を活発に拡散する拡散手段であって、前記拡散手段が前記組成物を前記カートリッジから前記組成物を取り去って対象周域に拡散させるように前記カートリッジが前記拡散手段に関する前記装置に取り付けられ、前記装置が前記装置始動後約３分以内に防虫を開始する、前記拡散手段。
［２］  前記装置が、前記装置始動後約１分以内に防虫を開始することを特徴とする、［１］に記載の装置。
［３］  更に以下を備えることを特徴とする、［１］に記載の装置：
（３）前記拡散手段を妨げないように前記装置へ取り付けられ、前記着用可能な個人用防虫装置を前記対象に附着することが可能な附着手段。
［４］  以下を備えることを特徴とする虫防除のための装置：
（１）以下を備えるカートリッジ
（ａ）防虫剤を含む組成物、及び
（２）前記組成物を活発に拡散する拡散手段であって、前記拡散手段が前記組成物を前記カートリッジから取り去って対象周域に拡散させるように前記カートリッジが前記拡散手段に関する前記装置に取り付けられ、前記装置が約４より大きい相対防除因子を提供する、前記拡散手段。
［５］  前記装置が約１５より大きい相対防除因子を提供する、［４］の装置。
［６］  更に以下を備えることを特徴とする、［４］に記載の装置：
（３）前記拡散手段を妨げないように前記装置に取り付けられる、前記着用可能個人用防虫装置を前記対象に附着することが可能な附着手段。
［７］  以下を備えることを特徴とする、虫防除のための着用可能個人用防虫装置：
（１）以下を備えるカートリッジ
（ａ）防虫剤を含む組成物、及び
（２）前記組成物を活発に拡散するための拡散手段であって、前記拡散手段が前記カートリッジから前記組成物を取り去って対象周域に拡散させるように前記カートリッジが前記拡散手段に関する前記着用可能個人用防虫装置に取り付けられ、以下からなる群から選択される前記拡散手段
（ａ）アトマイザ、
（ｂ）電気スプレイ、
（ｃ）前記組成物を揮発させるバルク加熱手段、及び揮発した組成物を前記対象周域へと吹き出す吹き出し手段、及び
（ｄ）前記組成物を揮発させ、前記組成物を前記対象周域へと拡散する点加熱手段；及び
（３）前記拡散手段を妨げないように前記装置に取り付けられ、前記着用可能な個人用防虫装置を前記対象に防着できる附着手段。
［８］  （ａ）前記組成物が前記カートリッジ内に収容されることを特徴とする、［７］に記載の装置。
［９］  前記カートリッジが取り外し可能であることを特徴とする、［８］に記載の装置。
［１０］  前記カートリッジが交換可能であることを特徴とする、［９］に記載の装置。
［１１］  前記カートリッジが取り外し可能でなく、前記装置が使い捨てであることを特徴とする、［８］に記載の装置。
［１２］  前記カートリッジが、平坦な形状及び３次元的形状からなる群から選択される形状を有することを特徴とする、［８］に記載の装置。
［１３］  （ａ）前記組成物が更に、発泡剤、溶剤、安定剤、共力剤、染料、香料、及びこれらの組み合わせからなる群から選択される成分を含むことを特徴とする、［７］に記載の装置。
［１４］  前記附着手段が、クリップ、ピン、接着剤、フック及びループ状ファスナ、磁石、ネクタイ、ネックレス、ひも、バンド、及び留め金からなる群から選択される１以上の要素を含むことを特徴とする、［７］に記載の装置。
［１５］  前記拡散手段が（ｃ）バルク加熱手段及び吹き出し手段を備え、前記拡散手段が前記バルク加熱手段及び前記吹き出し手段に動力供給する動力源を備え、前記動力源が電気、太陽、化学的、機械的、及びこれらの組み合わせからなる群から選択されることを特徴とする、［７］に記載の装置。
［１６］  前記拡散手段が、前記バルク加熱手段に動力供給する第１動力源、及び前記吹き出し手段に動力供給する第２動力源を備えることを特徴とする、［７］に記載の装置。
［１７］  前記第１動力源が発熱化学反応であることを特徴とする、［１６］に記載の装置。
［１８］  前記第２動力源が電気であることを特徴とする、［１６］に記載の装置。
［１９］  前記拡散手段が（ｄ）点加熱手段を備え、前記拡散手段が更に前記点加熱手段によって揮発させられた前記組成物を吹き出す吹き出し手段を備えることを特徴とする、［７］に記載の装置。
［２０］  前記拡散手段が更に前記点加熱手段の動力供給のための電気動力源を備えることを特徴とする、［１９］に記載の装置。
［２１］  以下を備えることを特徴とする、虫防除のための個人用防虫装置：
（１）以下を備えるカートリッジ
（ａ）防虫剤を含む組成物、及び
（２）前記組成物を活発に拡散するための拡散手段であって、前記拡散手段が前記組成物を前記カートリッジから移動させて対象周域に拡散させるように前記カートリッジが前記拡散手段に関する前記個人用防虫装置に取り付けられ、前記拡散手段が以下からなる群から選択される前記拡散手段、
（ａ）アトマイザ、
（ｂ）電気スプレイ、
（ｃ）前記組成物を約３０℃〜約６５℃の温度に加熱することによって前記組成物を揮発させるバルク加熱手段、及び揮発した組成物を前記対象周域へ吹き出す吹き出し手段、ここで、前記拡散手段は前記バルク加熱手段に動力供給する第１動力源及び前記吹き出し手段に動力供給する第２動力源を備える、及び
（ｄ）前記組成物を揮発させて前記対象へ揮発した組成物を拡散する点加熱手段。
［２２］  前記拡散手段が、（ｃ）前記組成物を揮発させるバルク加熱手段、及び揮発した組成物を前記対象周域へ吹き出す吹き出し手段を備え、前記拡散手段が前記バルク加熱手段に動力供給する第１動力源及び前記吹き出し手段に動力供給する第２動力源を備え、前記第１動力源が発熱化学反応であることを特徴とする、［２１］に記載の装置。
［２３］  前記第２動力源が電気であることを特徴とする、［２２］に記載の装置。
［２４］  （ａ）前記組成物を収容する（ｂ）キャリアを更に備えることを特徴とする、［２２］に記載の装置。
［２５］  前記カートリッジが平坦な形状及び３次元的形状からなる群から選択される形状を有することを特徴とする、［２２］に記載の装置。
［２６］  前記カートリッジが取り外し可能であることを特徴とする、［２１］に記載の装置。
［２７］  前記カートリッジが交換可能であることを特徴とする、［２６］に記載の装置。
［２８］  前記カートリッジが取り外し可能でなく、前記装置が使い捨てであることを特徴とする、［２１］の装置。
［２９］  前記拡散手段が前記組成物を揮発させる（ｄ）点加熱手段を備え、前記拡散手段が揮発した組成物を吹き出す吹き出し手段を更に備えることを特徴とする、［２１］に記載の装置。
［３０］  （ａ）前記組成物が発泡剤、安定剤、共力剤、染料、香料、及びこれらの組み合わせからなる成分を更に含むことを特徴とする、［２１］に記載の装置。
［３１］  以下を備えることを特徴とする、虫防除のための着用可能個人用装置：
（１）以下を備えるカートリッジ
（ａ）防虫剤を含む組成物、及び
（ｂ）前記組成物を収容するキャリア
（２）前記カートリッジが取り付けられている加熱器、前記カートリッジを通して気流を誘導するように前記加熱器に対向する前記装置に取り付けられているファン、並びに前記カートリッジが前記ファン及びバッフルの間にあるように前記カートリッジに対向する前記装置に取り付けられている前記バッフルを備える、前記組成物を拡散する拡散手段；及び
（３）前記ファンの上流の空気取り入れ口、及び前記ファン及び前記カートリッジの下流の空気排出口、前記空気取り入れ口及び空気排出口の間の気流を妨げないように前記装置に取り付けられる電池容器、前記ファン及び加熱器を点けおよび切る前記ハウジングの表面のスイッチ、並びに前記拡散手段を妨げないように前記ハウジングの表面に取り付けられる附着手段を備える、前記カートリッジ及び前記拡散手段の周りのハウジング。
［３２］  以下を備えることを特徴とする、虫防除のための着用可能個人用防虫装置：
（１）以下を備えるカートリッジ
（ａ）防虫剤を含む組成物、及び
（ｂ）前記組成物を収容するキャリア、
（２）以下を備える拡散手段
（ａ）前記カートリッジを収容する容器、
（ｂ）前記容器が取り付けられている加熱器、
（ｃ）前記カートリッジの上部を吹き流れる気流を発生させて前記カートリッジから前記組成物を出す前記カートリッジの上流のファン、
（ｄ）前記気流を妨げないように前記装置に取り付けられた、前記ファン及び前記加熱器に動力供給する電池を収納する電池容器、
（ｅ）前記ファン及び前記加熱器を点けおよび切る、前記ファン及び前記加熱器と連絡するタイマー、
（ｆ）前記加熱器と連絡して温度を調節する温度制御装置と連絡する熱電対、及び
（３）以下を備える、前記カートリッジ及び前記拡散手段の周りのハウジング    （ａ）前記ファンの上流の空気取り入れ口、
（ｂ）前記ファン及び前記カートリッジの下流の空気排出口、
（ｃ）前記カートリッジ及び前記空気取り入れ口の間にある、前記気流を誘導するバッフル、
（ｄ）前記空気取り入れ口及び前記空気排出口の上を滑り動く前記装置に取り付けられるシャッター、及び
（ｅ）前記気流を妨げないように前記ハウジングの外側表面に取り付けられる附着手段。
［３３］  以下を備えることを特徴とする、虫防除のための個人用防虫装置：
（１）以下を備えるカートリッジ
（ａ）防虫剤を備える組成物、及び
（ｂ）組成物を収容するキャリア、
（２）以下を備える拡散手段
（ａ）前記カートリッジを収容する容器、
（ｂ）熱を発生する化学薬品を収容している化学薬品容器を備える、前記容器が取り付けられている前記加熱手段、
（ｃ）前記カートリッジを通って吹き流れて前記カートリッジから前記組成物を出す気流を発生させる前記カートリッジの上流のファン、
（ｃ）前記ファンに動力供給する電池を収容する前記気流を妨げないように前記装置に取り付けられる電池容器、
（ｄ）前記ファンを点け及び切る前記ファンと連絡するタイマー、
（３）前記カートリッジ及び前記拡散手段の周りのハウジングであって、以下を備える前記ハウジング
（ａ）前記ファンの上流の空気取り入れ口、及び
（ｂ）前記ファン及び前記カートリッジの下流の空気排出口。
［３４］  更に以下を備えることを特徴とする、［３３］に記載の装置：
（ｅ）前記カートリッジを吹き流れて前記カートリッジから前記組成物を出す気流を発生させる前記カートリッジの上流のファン。
［３５］  以下を備えることを特徴とする個人用防虫装置：
（ｉ）防虫剤を含む組成物を備えるカートリッジ、
（ｉｉ）前記組成物がフィラメントに接触するように前記カ−トリッジの排出口、又はその付近に位置する前記フィラメント、
（ｉｉｉ）前記フィラメントを加熱し、モ−ターに動力供給するように前記フィラメント及び前記モーターに連絡する動力供給、及び
（ｉｖ）前記モーターに接続するファン。
［３６］  前記カートリッジが毛管チューブであり、前記組成物が液体であることを特徴とする、［３５］に記載の装置。
［３７］  前記フィラメントが前記カートリッジの一部であることを特徴とする、［３６］に記載の装置。
［３８］  前記組成物が固形であり、前記フィラメントが前記カートリッジの一部であることを特徴とする、［３５］に記載の装置。
［３９］  以下の工程を含むことを特徴とする虫防除の方法：効果的な量の防虫剤を含む組成物の対象周域への活発かつ移動可能な拡散工程であって、以下からなる群から選択される方法によって実施される前記組成物の活発な拡散工程
（ｉ）前記組成物のアトマイジング、
（ｉｉ）前記組成物の電気スプレイ、及び
（ｉｉｉ）前記組成物を揮発させるための前記組成物の加熱、および前記揮発した組成物の吹き付け。
［４０］  前記虫が、蚊、イエバエ、ヌカカ、ブヨ、ブユ、スナバエ、アブ、及びツェツェバエからなる群から選択される飛行する虫であることを特徴とする、［３９］に記載の方法。
［４１］  前記虫が、ノミ、マダニ、ダニ、ツツガムシ、及びクモからなる群から選択される爬行する虫であることを特徴とする、［３９］に記載の方法。
［４２］  前記防虫剤がＮ，Ｎ−ジエチル−ｍ−トルアミド、ピレトリン、及びピレスロイドからなる群から選択されることを特徴とする、［３９］に記載の方法。
［４３］  前記防虫剤がピレスロイドで、前記防虫剤の効果的な量が空気中１０億分の約１部未満から１０億分の約５０部までであることを特徴とする、［４２］に記載の方法。
［４４］  前記ピレスロイドがアレスリン、ｄ−トランスアレスリン、ｄ−アレスリン、ビオアレスリン、エスデパレスリン、エンペントリン、プラレスリン、トランスフルトリン、及びこれらの組み合わせからなる群から選択されることを特徴とする、［４２］に記載の方法。
［４５］  前記防虫剤がアレスリン及びプラレスリンからなる群から選択されることを特徴とする、［４４］に記載の方法。
［４６］  以下の工程を含むことを特徴とする、虫防除のための方法：
（ｉ）約３０℃〜約４５℃の温度のピレトリン類及びピレスロイド類からなる群から選択される防虫剤を含む組成物をバルク加熱する工程、及び
（ｉｉ）効果的な量の工程（ｉ）の製品を対象周域に吹き付ける工程。
［４７］  前記虫が蚊、イエバエ、ヌカカ、ブヨ、ブユ、スナバエ、アブ、及びツェツェバエからなる群から選択される飛行する虫であることを特徴とする、［４６］に記載の方法。
［４８］  前記虫がノミ、マダニ、ダニ、ツツガムシ、及びクモからなる群から選択される爬行する虫であることを特徴とする、［４６］に記載の方法。
［４９］  前記ピレスロイドが、アレスリン、ｄ−トランスアレスリン、ｄ−アレスリン、ビオアレスリン、エスデパレスリン、エンペントリン、プラレスリン、トランスフルトリン、及びこれらの組み合わせからなる群から選択されることを特徴とする、［４６］に記載の方法。
［５０］  前記工程（ｉｉ）における防虫剤の前記量が１０億分の１部以下の濃度であることを特徴とする、［４６］に記載の方法。
［５１］  防虫剤の前記量が空気中の１０億分の約１部未満から約５０部までであることを特徴とする、［５０］に記載の方法。
［５２］  以下の工程を含むことを特徴とする、対象の防虫方法：前記対象に以下を備える着用可能個人用防虫装置を附着する工程、
（１）以下を備えるカートリッジ
（ａ）防虫剤を含む組成物、及び
（２）前記組成物を活発に拡散する拡散手段であって、前記拡散手段が前記組成物を前記カートリッジから取り去って対象周域に拡散させるように前記カートリッジが前記拡散手段に関する着用可能個人用防虫装置に取り付けられ、以下からなる群から選択される前記拡散手段、
（ａ）アトマイザ、
（ｂ）電気スプレイ、
（ｃ）前記組成物を揮発させるバルク加熱手段、及び揮発した組成物を前記対象周域へと吹き出す吹き出し手段、及び
（ｄ）前記組成物を揮発させて前記組成物を前記対象周域へと拡散させる点加熱手段；及び
（３）前記拡散手段を妨げないように前記装置に取り付けられる、前記対象に前記着用可能個人用防虫装置を附着することが可能な附着手段；及び
前記着用可能個人用防虫装置を始動する工程。
［５３］  前記拡散手段が点加熱手段を備え、前記拡散手段が揮発した組成物を吹き出す吹き出し手段を更に備えることを特徴とする、［５２］に記載の方法。
［５４］  前記対象がヒトであることを特徴とする、［５３］に記載の方法。
［５５］  前記対象がペット、家畜類、及び野生動物からなる群から選択される、［５３］に記載の方法。
［５６］  以下の工程を含むことを特徴とする、対象の防虫方法：前記対象付近の個人用防虫装置を始動する工程、ここで前記個人用防虫装置は以下を備える
（１）以下を備えるカートリッジ
（ａ）防虫剤を含む組成物、及び
（２）前記組成物を活発に拡散する拡散手段であって、前記拡散手段が前記組成物を前記カートリッジから出して対象周域に拡散するように前記カートリッジが前記拡散手段に関する前記個人用防虫装置に取り付けられ、以下からなる群から選択される前記拡散手段
（ａ）アトマイザ、
（ｂ）電気スプレイ、
（ｃ）前記組成物を揮発させる前記バルク加熱手段、及び揮発した組成物を前記対象周域へと吹き付ける吹き付け手段、ここで、前記拡散手段は、バルク加熱手段を動力供給する第１動力源、及び吹き付け手段を動力供給する第２動力源を備える、及び
（ｄ）前記組成物を揮発させて揮発した組成物を前記対象周域へと拡散する点加熱手段。
［５７］  前記拡散手段が点加熱手段を備え、前記拡散手段が揮発した組成物を吹き出す吹き出し手段を更に備えることを特徴とする、［５６］に記載の方法。
［５８］  前記対象がヒトであることを特徴とする、［５６］に記載の方法。
［５９］  前記対象がペット、家畜類、及び野生動物からなる群から選択されることを特徴とする、［５６］に記載の方法。